(57)【特許請求の範囲】
【請求項１】
納骨部と、
前記納骨部に戴置または併設され、生前情報再生表示手段を有する仏壇部を備えた隣接して配置された複数の壇からなる仏壇形納骨壇であって、
前記納骨部は、
一方側に開口部を有する略箱状に形成された納骨箱体と、
該納骨箱体に設けられ、該開口部を開放および閉塞することが可能な扉と、
該扉に設けられ、該扉を施錠するための錠部とを含むものであり、
前記仏壇部は、
一方側に開口部を有する略箱状に形成された仏壇箱体と、該仏壇箱体に設けられ、該開口部を開放および閉塞するように回転可能な一対の観音開き扉と、該仏壇箱体内部に設けられ、仏像および／または位牌を安置する戴置台と、物品を収納する引出しを有する引出し部を有する仏壇本体と、
前記仏壇本体内部に設けられ、該内部の照明のための照明手段と、
生前情報再生表示手段とを含み、
前記照明手段は、
通電によって仏壇本体内部を照らす照明ランプと、扉を開けると通電して該照明ランプを点灯させ、扉を閉めると通電を中断して該照明ランプを消灯させるスイッチとを含み、
前記生前情報再生表示手段は、
映像および音声からなる生前情報をトラック毎に記録する記録媒体と、
識別番号およびトラック番号を入力するための複数のキーが配置された入力部と、入力された識別番号を一時的に記憶する揮発性メモリと、予め設定された識別番号を記憶する不揮発性メモリと、該揮発性メモリ内の識別番号と該不揮発性メモリ内の識別番号とを照合し、両識別番号が一致したときには、入力されたトラック番号に対応するトラックを再生するように指示する信号を出力する処理回路とを有する入力指示手段と、
前記信号に基づいて記録媒体を再生し、映像信号と音声信号からなる生前情報を出力する再生手段と、
該映像信号に対応する映像を表示する映像表示手段と該音声信号を音声に変換する音響手段を有する表示手段とを含み、
前記映像表示手段は、
液晶ディスプレイと、
液晶ディスプレイを一方の扉に対して回動自在にかつ上下左右に傾動可能に支持する支持手段とを含み、
該液晶ディスプレイはタッチスクリーンディスプレイであり、
前記音響手段は、
音声信号を音声に変換するスピーカおよびイヤホンまたはヘッドホンと、
バスレフ形キャビネットとして機能するために該スピーカと同じ側に開口部が設けられた他方の扉とを含み、仏壇本体の他方の扉を閉じたとき仏壇本体内部に臨む側に設けられている
ことを特徴とする仏壇形納骨壇。
【請求項２】
前記記録媒体および前記再生手段が各仏壇形納骨壇毎に設けられていることを特徴とする、請求項１記載の仏壇形納骨壇。
【請求項３】
前記記録媒体および前記再生手段が仏壇形納骨壇外に設けられており、一つの記録媒体および再生手段を複数の仏壇形納骨壇で共有することを特徴とする、請求項１記載の仏壇形納骨壇。
【請求項４】
さらに複数の仏壇形納骨壇で共有する他の記録媒体および他の再生手段が仏壇形納骨壇外に設けられており、該他の再生手段は各仏壇形納骨壇の生前情報再生表示手段と有線または無線により通信可能であることを特徴とする、請求項１記載の仏壇形納骨壇。
【発明の詳細な説明】
【０００１】
【発明の属する技術分野】
本発明は、仏壇形納骨壇に関する。特に、都市型墓地において好適に用いられ、リアリティを伴って故人を偲ぶことを可能にする仏壇形納骨壇に関する。
【０００２】
【従来の技術】
日本の人口の一極集中と高齢化とに伴い、とりわけ大都市圏においては深刻な墓地不足時代を迎えるといわれている。このような墓地不足を解消して多数の墓地を確保する手段として、例えば高層建築物内に多数の納骨壇を収容して墓地の高層化を図った都市型墓地が注目を浴びている。さらに大都市圏では、住居内に仏壇を設置するためのスペースを確保することも困難になっており、上記の都市型墓地では、納骨壇の上に仏壇部が設けられた仏壇形納骨壇が利用されている。
【０００３】
【発明が解決しようとする課題】
従来の仏壇において故人を偲ぶためには、仏壇内に設置された故人の遺影を見る以外に手段がなかった。しかしながら遺影には生前の故人の声や動作を思い出させることにおいて限界があり、それ故、リアリティを伴って故人を偲ぶことはできなかった。
【０００４】
従って本発明の目的は、上記の都市型墓地における使用に適しており、リアリティを伴って故人を偲ぶことを可能にした仏壇形納骨壇を提供することである。
【０００５】
【課題を解決するための手段】
本発明者は上記の課題に鑑み鋭意開発を行った結果、遺骨を収納する納骨部の上部に仏壇部を設け、記録媒体に予め記録した故人の映像、音声等を該仏壇部に備え付けた表示手段で再生することにより、リアリティを伴って故人を偲ぶことができることを見出して本発明を完成させた。
【０００６】
従って本発明は、
第１観点として、納骨部と、
前記納骨部に戴置または併設され、生前情報再生表示手段を有する仏壇部を備えた隣接して配置された複数の壇からなる仏壇形納骨壇であって、
前記納骨部は、
一方側に開口部を有する略箱状に形成された納骨箱体と、
該納骨箱体に設けられ、該開口部を開放および閉塞することが可能な扉と、
該扉に設けられ、該扉を施錠するための錠部とを含むものであり、
前記仏壇部は、
一方側に開口部を有する略箱状に形成された仏壇箱体と、該仏壇箱体に設けられ、該開口部を開放および閉塞するように回転可能な一対の観音開き扉と、該仏壇箱体内部に設けられ、仏像および／または位牌を安置する戴置台と、物品を収納する引出しを有する引出し部を有する仏壇本体と、
前記仏壇本体内部に設けられ、該内部の照明のための照明手段と、
生前情報再生表示手段とを含み、
前記照明手段は、
通電によって仏壇本体内部を照らす照明ランプと、扉を開けると通電して該照明ランプを点灯させ、扉を閉めると通電を中断して該照明ランプを消灯させるスイッチとを含み、
前記生前情報再生表示手段は、
映像および音声からなる生前情報をトラック毎に記録する記録媒体と、
識別番号およびトラック番号を入力するための複数のキーが配置された入力部と、入力された識別番号を一時的に記憶する揮発性メモリと、予め設定された識別番号を記憶する不揮発性メモリと、該揮発性メモリ内の識別番号と該不揮発性メモリ内の識別番号とを照合し、両識別番号が一致したときには、入力されたトラック番号に対応するトラックを再生するように指示する信号を出力する処理回路とを有する入力指示手段と、
前記信号に基づいて記録媒体を再生し、映像信号と音声信号からなる生前情報を出力する再生手段と、
該映像信号に対応する映像を表示する映像表示手段と該音声信号を音声に変換する音響手段を有する表示手段とを含み、
前記映像表示手段は、
液晶ディスプレイと、
液晶ディスプレイを一方の扉に対して回動自在にかつ上下左右に傾動可能に支持する支持手段とを含み、
該液晶ディスプレイはタッチスクリーンディスプレイであり、
前記音響手段は、
音声信号を音声に変換するスピーカおよびイヤホンまたはヘッドホンと、
バスレフ形キャビネットとして機能するために該スピーカと同じ側に開口部が設けられた他方の扉とを含み、仏壇本体の他方の扉を閉じたとき仏壇本体内部に臨む側に設けられている
ことを特徴とする仏壇形納骨壇、
第２観点として、前記記録媒体および前記再生手段が各仏壇形納骨壇毎に設けられていることを特徴とする、第１観点に記載の仏壇形納骨壇、
第３観点として、前記記録媒体および前記再生手段が仏壇形納骨壇外に設けられており、一つの記録媒体および再生手段を複数の仏壇形納骨壇で共有することを特徴とする、第１観点に記載の仏壇形納骨壇、
第４観点として、さらに複数の仏壇形納骨壇で共有する他の記録媒体および他の再生手段が仏壇形納骨壇外に設けられており、該他の再生手段は各仏壇形納骨壇の生前情報再生表示手段と有線または無線により通信可能であることを特徴とする、第１観点に記載の仏壇形納骨壇に関する。
【０００７】
本発明の仏壇形納骨壇における「納骨部」とは、個人の遺骨を収容した骨壷を収納する部分である。また「仏壇部」とは、通常の仏壇と同様な構成を有し、納骨部に戴置または併設される部分である。そして「生前情報再生表示装置」とは、仏壇部に設けられ故人の生前の情報を再生して表示する手段である。
【０００８】
【発明の実施の形態】
図１は本発明の実施の一形態の仏壇形納骨壇１を図示する正面図であり、図２は、図１のＡ−Ａ’線断面図である。そして図３は、本発明の仏壇形納骨壇１の構成を図示する模式図である。仏壇形納骨壇１は、納骨部２と仏壇部３とからなる。納骨部２は、故人の遺骨を収容した骨壷を収納する。納骨部２は、一方側に臨んで開口した開口部４を有して略箱状に形成される納骨箱体５と、納骨箱体５に設けられ、開口部４を開放または閉塞するように開閉自在な扉６と、扉６に設けられ、扉６を施錠するための錠部７とを含む。
【０００９】
納骨箱体５の内部空間８は、複数（本実施形態では２）の仕切板９によって仕切られている。これによって納骨箱体５の内部に複数の骨壷を収納できる。扉６は、手前に引くことによって開口部４を開放する。錠部７は扉６に設けられ、扉６を閉じた状態で納骨箱体５の一部と係合して開口部４の閉塞状態を保持する。これによって骨壷の盗難を防ぐことができる。
【００１０】
仏壇部３は、納骨部２に戴置され、仏像および／または位牌を安置する。仏壇部３は、仏壇本体１０と、仏壇本体１０内部を照明するための照明手段１８と、故人の生前の映像および音声から成る生前情報を再生して表示する生前情報再生表示手段１３とを含む。仏壇本体１０は、引出し部１１と、戴置棚１２と、一方側に開口する開口部１４を有する略箱状に形成される仏壇箱体１５と、仏壇箱体１５に設けられ、開口部１４を開放または閉塞するように略９０°まで回転可能な一対の扉１６ａ、１６ｂから成る観音開き扉１６と、仏壇箱体１５内部に仏像および／または位牌を安置する戴置台１７を含む。
【００１１】
引出し部１１は、仏壇本体１０の下部に設けられ、数珠等の物品を収納する引出し１９を有する。戴置棚１２は、引出し部１１の下部に設けられ、前記一方側に引出すことによって物品を戴置することができ、前記一方側から押戻すことによって仏壇部３内に収納することができる。
【００１２】
照明手段１８は、仏壇本体１０内部の天井から垂下し、通電すると仏壇本体１０内部を照らす一対の照明ランプ２０と、扉１６ｂを開けると通電して照明ランプ２０を点灯させ、扉１６ｂを閉めると通電を中断して照明ランプ２０を消灯させるスイッチ２１とを含む。
【００１３】
このような構成によれば、扉１６ｂを開けると仏壇本体１０の内部が照明ランプ２０によって照らされ、薄暗い室内であっても戴置台１７に安置された仏像および／または位牌をはっきりと視認することができる。また扉１６ｂを閉じると、照明ランプ２０が消灯するので、照明ランプ２０の消し忘れが防がれる。
【００１４】
仏壇箱体１５の開口部１４は、上枠部２２、下枠部２３および一対の立て枠部２４ａ、２４ｂによって規定される。上枠部２２および下枠部２３には、扉１６ａ、１６ｂの仏壇箱体１５の内部側への回転を阻止する戸当りじゃくり２５、２６が設けられる。スイッチ２１は、扉１６ｂの上部が当接する側の戸当りじゃくり２５に設けられる。
【００１５】
図４は扉１６ａ、１６ｂが閉じた状態を図示する断面図であり、図５は、扉１６ａ、１６ｂが開いた状態を図示する断面図である。各扉１６ａ、１６ｂは、中空の扁平な直方体状に形成される。一方の扉１６ａの長手方向に垂直な幅方向一端部１６ａ１には、長手方向両端部１６ａ２、１６ａ３から長手方向外方に向かって突出する回転軸１６ａ４、１６ａ５がそれぞれ設けられる。他方の扉１６ｂの長手方向に垂直な幅方向一端部１６ｂ１には、長手方向両端部１６ｂ２、１６ｂ３から長手方向外方に向かって突出する回転軸１６ｂ４、１６ｂ５がそれぞれ設けられる。上枠部２２および下枠部２３の長手方向一端部２２ａ、２３ａには、各回転軸１６ａ４、１６ａ５が嵌合する嵌合凹所２２ａ１、２３ａ１がそれぞれ設けられる。上枠部２２および下枠部２３の長手方向他端部２２ｂ、２３ｂには、各回転軸１６ｂ４、１６ｂ５が回動自在に嵌合する嵌合凹所２２ｂ１、２３ｂ１がそれぞれ設けられる。このようにして、各扉１６ａ、１６ｂは、平行な一対の回転軸線Ｌ１まわりに回転可能に設けられる。
【００１６】
さらに詳しくは、図６〜図８を参照して、一方の扉１６ａは、平行に所定の間隔をあけて設けられる一対の立て框８１ａ、８２ａと、各立て框８１ａ、８２ａの長手方向一端部８１ａ１、８２ａ１間にわたって延びる上框８３ａと、各立て框８１ａ、８２ａの長手方向他端部８１ａ２、８２ａ２間にわたって延びる下框８４ａと、各立て框８１ａ、８２ａ、上框８３ａおよび下框８４ａの仏壇箱体１５内部に臨む側を覆う第1側板８５ａと、各立て框８１ａ、８２ａ、上框８３ａおよび下框８４ａの仏壇箱体１５内部に臨む側とは反対側を覆う第２側板８６ａとを含む。同様に、他方の扉１６ｂは、平行に所定の間隔をあけて設けられる一対の立て框８１ｂ、８２ｂと、各立て框８１ｂ、８２ｂの長手方向一端部８１ｂ１、８２ｂ１間にわたって延びる上框８３ｂと、各立て框８１ｂ、８２ｂの長手方向他端部８１ｂ２、８２ｂ２間にわたって延びる下框８４ｂと、各立て框８１ｂ、８２ｂ、上框８３ｂおよび下框８４ｂの仏壇箱体１５内部に臨む側を覆う第1側板８５ｂと、各立て框８１ｂ、８２ｂ、上框８３ｂおよび下框８４ｂの仏壇箱体１５内部に臨む側とは反対側を覆う第２側板８６ｂとを含む。
【００１７】
このような構成によれば、各扉１６ａ、１６ｂが閉じた状態では、各扉１６ａ、１６ｂの仏壇箱体１５の内部に臨む第１表面１６ａ６、１６ｂ６が各戸当りじゃくり２５、２６にそれぞれ当接し、各扉１６ａ、１６ｂの仏壇箱体１５の内部側への回転が規制される。各扉１６ａ、１６ｂが開いた状態では、各扉１６ａ、１６ｂの第１表面１６ａ６、１６ｂ６とは反対側の第２表面１６ａ７、１６ｂ７が各立て枠部２４ａ、２４ｂにそれぞれ当接し、各扉１６ａ、１６ｂのさらなる外方への回転が規制される。このようにして、各扉１６ａ、１６ｂは、各扉１６ａ、１６ｂの各回転軸１６ａ４、１６ａ５、１６ｂ４、１６ｂ５の各回転軸線Ｌ１まわりに略９０°まで回転可能に設けられる。
【００１８】
また他方の扉１６ｂの幅方向他端部１６ｂ８の第２表面１６ｂ７には、その長手方向に沿って幅方向外方に向かって突出する突出片２７が設けられる。突出片２７が他方の扉１６ｂに設けられるので、必ず他方の扉１６ｂを開けてからでないと、一方の扉１６ａを開けることができず、一方の扉１６ａを閉めてからでないと、他方の扉１６ｂを閉めることができない。従って、扉を開ける順序を一定にすることができる。このようにして、扉１６ｂを開けた後、照明ランプ２０が点灯し、扉１６ａを開けて拝礼を行い、拝礼を終了して扉１６ａを閉めた後、他方の扉１６ｂを閉めると照明ランプ２０が消灯することになる。
【００１９】
図９は、本発明の仏壇形納骨壇１が二つ隣接して配置された状態を図示する。上述のように、各扉１６ａ、１６ｂは、各扉１６ａ、１６ｂが閉じた状態から、各扉１６ａ、１６ｂの回転軸線まわりに略９０°まで回転可能に設けられるので、各扉１６ａ、１６ｂを開けた状態で、隣接する仏壇形納骨壇１の各扉１６ａ、１６ｂが開けられても、隣接する扉１６ａ、１６ｂ同士が接触することがない。
【００２０】
図６は、映像表示手段３２の構成を簡略化して図示する正面図である。図６に図示されている映像表示手段３２は、収納時の状態を図示されている。映像表示手段３２は、一方の扉１６ａに設けられ、扉１６ａの幅方向一端部（以下、基端部と称する場合がある）１６ａ１とは反対側の幅方向他端部（以下、遊端部と称する場合がある）１６ａ８近傍の第１表面１６ａ６であって、長手方向他端部１６ａ３近傍の下部に設けられる。具体的には、映像表示手段３２は、液晶ディスプレイ３５と、液晶ディスプレイ３５の表示面３６の方向を調節可能であり、その状態を保持したまま液晶ディスプレイ３５を支持する支持手段３７とを含む。
【００２１】
支持手段３７は、基部４０と、アーム部４１と、外枠４２と、内枠４３とを含む。基部４０は、一方の扉１６ａの遊端部１６ａ８近傍の第１表面１６ａ６上であって、長手方向他端部１６ａ３近傍に固定的に取付けられる。即ち基部４０は、第１側板８５ａの長手方向一端部８５ａ１とは反対側の長手方向他端部８５ａ２であって、基端部１６ａ１側である幅方向一端部８５ａ３とは反対側の遊端部である幅方向他端部８５ａ４近傍に固定的に取付けられる。
【００２２】
アーム部４１は、その基端部４１ａが、基部４０に、一方の扉１６ａの回転軸線Ｌ１に平行な第１軸線Ｌ２まわりに回転可能にピン４４によってピン連結される。
【００２３】
外枠４２は、矩形状の枠体から成り、アーム部４１の遊端部４１ｂに、第１軸線Ｌ２まわりに角変位自在にピン４５によってピン連結される。ここで外枠４２の大きさは、その高さが戴置台１７の上面と箱体１５の底面との間に選ばれ、幅が、基部４０の取付け位置とアーム部４１の長さとを考慮して、一方の扉１６ａの幅方向長さを超えない大きさに選ばれる。
【００２４】
内枠４３は、矩形状の枠体から成り、外枠４２よりも小さく、液晶ディスプレイ３５よりも大きく、外枠４２の内側の幅方向中央部付近に、第１軸線Ｌ２まわりに回転可能に一対のピン４６、４７によってピン連結される。
【００２５】
液晶ディスプレイ３５は、内枠４３の内側の高さ方向中央部付近に、第１軸線Ｌ２に直交する第２軸線Ｌ３まわりに回転可能に一対のピン４８、４９によってピン連結される。
【００２６】
一方の扉１６ａが上枠部２２および下枠部２３に対して略９０°開いた状態において、液晶ディスプレイ３５を参拝者の正面に向けるには、図６に図示される状態から、アーム部４１を基部４０に対して９０°だけ回転させる。これによって、液晶ディスプレイ３５を参拝者の正面に容易に配置することができる。またアーム部を、基部４０に対して、逆方向に、即ちアーム部４１を第１表面１６ａ６に近接する側に９０°だけ回転させると、支持手段３７を第１表面１６ａ６に密着させることができ、映像表示手段３２を容易にかつコンパクトに一方の扉１６ａの第１表面１６ａ６側に収納することができる。また不注意で液晶ディスプレイ３５に触れたとしても、支持手段３７は基部４０とアーム部４１との間で容易に屈曲でき、さらにアーム部４１と外枠４２との間で容易に屈曲できるので、液晶ディスプレイ３５に大きな力が作用することがなく、液晶ディスプレイ３５にダメージを与えない。
【００２７】
さらに外枠４２はアーム部４１に対して第１軸線Ｌ２まわりに回転可能にピン連結され、内枠４３は外枠４２に対して第１軸線Ｌ２まわりに回転可能にピン連結され、液晶ディスプレイ３５は内枠４３に対して第２軸線Ｌ３まわりに回転可能にピン連結されているので、液晶ディスプレイ３５の表示面３６を任意の方向に向けるように調整することができ、たとえ視野角の狭い液晶ディスプレイ３５であっても、参拝者にとって最適な角度で映像を見ることができる。
【００２８】
さらに映像表示手段３２が一方の扉１６ａであって、扉１６ａの回転軸線Ｌ１近傍の基端部１６ａ１とは反対側の遊端部１６ａ８近傍で、かつ扉１６ａを閉じたときに箱体１５内部に臨む側の下部に設けられ、さらに上述のように支持手段３７が寸法決めされるので、参拝時に、映像表示手段３２によって、仏像および／または位牌および六字の名言を視界から遮ることがない。また扉の開放時において、映像表示手段３２は扉１６ａの幅分だけ仏壇箱体１５から離間して配置されるので、映像表示手段３２と仏壇箱体１５との間に充分な空間が得られ、映像表示手段３２の存在が参拝者の拝礼動作の邪魔にならない。
【００２９】
図７は音響手段３３の構成を簡略化して図示する正面図であり、図８は図７のＶＩＩＩ−ＶＩＩＩ’線断面図である。本発明において音響手段３３は、他方の扉１６ｂを兼ねている。即ち音響手段３３は、他方の扉１６ｂの、扉１６ｂを閉じたときに仏壇本体１０内部に臨む側、即ち第１表面１６ｂ６に設けられ、音声信号を音声に変換するスピーカ５１と、バスレフ形キャビネットとして機能するためにスピーカ５１と同じ側、即ち第１表面１６ｂ６側に開口部５２が設けられた他方の扉１６ｂとを含む。図７では、スピーカ５１は他方の扉１６ｂの下部に配置され、開口部５２は他方の扉１６ｂの上部に配置される。また、スピーカ５１と同じ側の扉１６ｂの下部には、ヘッドホン５５が着脱自在に差込まれる差込口５４が設けられている。
【００３０】
さらに詳しくは、スピーカ５１は、図８に図示されるように、他方の扉１６ｂ内に内蔵される。第1側板８５ｂの長手方向一端部８５ｂ１における幅方向中央部には開口部５２が設けられる。第1側板８５ｂの長手方向他端部８５ｂ２における幅方向中央部には、スピーカ５１の直径と略等しい直径を有する第２の開口部８７が形成される。スピーカ５１は、その振動部分が第２の開口部８７から露出するように、各立て框８１ｂ、８２ｂ、上框８３ｂ、下框８４ｂおよび各側板８５ｂ、８６ｂによって囲まれる他方の扉１６ｂの内部空間８８内に収容される。他方の扉１６ｂの第１側板８５ｂはバッフルボードとして機能する。また、開口部５２の位置は、スピーカ５１の表面から扉１６ｂの内部空間８８を介して開口部５２までの距離が、再生される音のうち、低音の再生限界周波数付近における音の波長の２分の１に相当するように定められる。
【００３１】
他方の扉１６ｂがバスレフ形キャビネットとして機能するので、スピーカ５１からの音、特に低音の再生限界周波数近傍の音を、スピーカ５１の後面から開口部５２に導いて、その音の位相を１８０°だけ遅らせて、スピーカの前面の音に重畳させて低音部を補強することができ、再生音の重厚感が増す。さらに音響手段３３からの音声は、対向して配置される一方の扉１６ａおよび仏壇箱体１５で反響するので、再生音の重厚感がさらに増す。
【００３２】
図示した形態において、差込口５４にヘッドホン５５が差込まれていない場合、音声信号はスピーカ５１により再生される。一方、差込口５４にヘッドホン５５が差込まれている場合には、スピーカ５１は音声信号を再生せず、該音声信号はヘッドホン５５のみによって再生される。ヘッドホン５５に代えて、イヤホンを利用できるようにしても良い。
【００３３】
図１０は、生前情報再生表示手段１３の一形態の構成を簡略化して図示する斜視図である。図示する形態の生前情報再生表示手段１３は、トラック毎に故人の生前の映像および音声から成る生前情報を記録したＤＶＤ−ＲＯＭ（Digital Versatile Disc-ROM）である記録媒体３０と、入力部と処理回路を有し、該入力部からの入力を該処理回路で処理して再生すべき生前情報を指示する信号を出力する入力指示手段３４と、前記信号に基づいて記録媒体３０を再生し、生前情報を出力するＤＶＤプレイヤである再生手段３１と、生前情報のうちの映像を表示する映像表示手段３２と、生前情報のうちの音声を再生する音響手段３３とからなる表示手段を含む。映像表示手段３２は、再生手段３１と映像信号線５０によって電気的に接続される。また音響手段３３は、再生手段３１と音声信号線５３によって電気的に接続され、スピーカ５１と、スピーカ５１に着脱自在に接続されたヘッドホン５５を含む。
【００３４】
記録媒体３０には、家訓、遺言等の生前情報がトラック毎に記録されている。生前情報は、故人の生前の映像および音声からなるものが好ましいが、やむを得ない場合には、映像のみまたは音声のみからなる生前情報を記録することもできる。また生前情報は、記録媒体３０が記録し得る情報量が許す限り、一人の故人について複数のトラックにわたって記録しても良いし、一つの記録媒体に複数の故人の生前情報を記録しても良い。
【００３５】
記録媒体３０は、故人の生前の映像および音声を記録できるものであれば特に制限はなく、ＣＤ−ＲＯＭ、ＤＶＤ−ＲＯＭ、ハードディスク等を用いることができる。好ましい記録媒体３０は、生前情報の追加・変更が容易となるようにデータの書き換えを随時行うことができるものである。記録媒体３０が記録し得る情報量は、例えば映像の再生時間で換算して約１時間程度である。
【００３６】
図１１は、生前情報再生表示手段１３の電気的構成を簡略化して図示するブロック図である。図１０をも参照して、入力指示手段３４は、入力部６０と、揮発性メモリとしてのランダムアクセスメモリ（以下、単にＲＡＭと略称する場合がある）６１と、不揮発性メモリ６２と、処理回路６３とを含む。
【００３７】
入力部６０は、例えば識別番号またはトラック番号を入力するための０〜９の置数キーと、キャンセルキー６６と、エンタキー６７とが配置された構成を有する。ＲＡＭ６１は、入力された識別番号またはトラック番号を一時的に記憶する。不揮発性メモリ６２は、予め設定された識別番号と、記録媒体３０の各トラックに与えられたトラック番号とを記憶する。処理回路６３は、ＲＡＭ６１内の識別番号と不揮発性メモリ６２内の識別番号とを照合して両識別番号が一致するかを判断し、一致した場合には入力されたトラック番号に対応するトラックを再生するように再生手段３１に指示する信号を出力する。
【００３８】
図示した形態において、再生手段３１と入力指示手段３４とは有線による通信を行っている。このような形態においては、再生手段３１と入力指示手段３４とが分離することないので、入力指示手段３４が紛失してしまうことを防ぐことができる。
しかしながら、上述した入力指示手段３４の構成のまま、再生手段３１と入力指示手段３４とが、赤外線等を用いて無線による通信を行うこともできる。この場合、識別番号が一致さえすれば、全く関係の無い隣接する仏壇形納骨壇の再生手段を作動させてしまう恐れがある。しかしながら無線による通信を行う場合には、例えば、識別番号が一致したとき、入力指示手段３４に与えられた識別コードと再生手段３１に与えられた識別コードとが一致することを確認した上で、記録媒体２０の再生を行うように構成すればこの問題を解決することができる。
【００３９】
さらに、例えば東京特殊電線株式会社製のタッチスクリーンディスプレイを用いて、入力指示手段３４の入力部６０と映像表示手段３５とを一つの部材に構成することも可能である。この場合には、識別番号を入力するときには入力部６０に０〜９の置数キーを表示し、また再生すべき生前情報のトラック番号を入力するときには入力部６０を個人の名前や生前情報の種類を表示する等、入力部６０の表示を用途に応じて適宜変更することができる。例えば、図１２に図示されるように、再生すべきトラック番号を入力する際に入力部６０に故人の戒名を列挙した過去帳を表示し、そして参拝する故人の戒名を選択した後、さらに選択された故人の肖像が表示されるように入力部６０を構成すると、より確実かつ現実感を伴って、再生すべき生前情報を選択することができる。
【００４０】
再生手段３１は、記録媒体３０に記録された生前情報を再生する手段である。用いられる記録媒体３０に依存して、様々な種類の再生手段３１を使用することができる。
【００４１】
映像表示手段３２は、生前情報の映像を表示可能であれば特に制限はなく、ブラウン管、液晶ディスプレイ等を用いることができる。しかしながら、消費電力、発熱等の面から液晶ディスプレイが好ましく、特に視野角等の面からＴＦＴ液晶ディスプレイが好ましい。
【００４２】
音響手段３３は、生前情報の音声を再生する手段であり、一般にスピーカ、イヤホン、ヘッドホン等を用いることができる。音響手段３３としてスピーカを採用すると、音声を多くの者が聴取することができるので、多人数で同時に参拝する場合に便利である。一方、イヤホンまたはヘッドホンを採用すると、生前情報の音声を参拝者以外の者に聞かれることがなく、生前情報の秘匿性が高まる。
【００４３】
図示した形態において、生前情報再生表示手段１３は、映像表示手段３２と音響手段３３とを個別に設けているが、これに代えて、スピーカ一体型の液晶ディスプレイを用いてもよい。
【００４４】
図示した形態において、記録媒体３０、再生手段３１および入力指示手段３４は引出し部１１の引出し１９内に収納され、空間の有効利用を図ることができる。このように各々の仏壇形納骨壇１に個別の記録媒体３０を設けたスタンドアロン方式（独立組込型）の仏壇形納骨壇１は、システムが独立しているため他の機器の影響を受けない、価格見積りが容易に行える、１台当りのコストが安くなる等の利点を有する。
【００４５】
一方、各仏壇形納骨壇１には記録媒体３０および再生手段３１を設けずに、複数の仏壇形納骨壇１で共有する記録媒体３０および再生手段３１を仏壇形納骨壇１外に設けて生前情報再生表示手段１３を構成することも可能である。このようなネットワーク方式（サーバ／クライアント型）の仏壇形納骨壇１は、生前情報を集中管理することができるので仏壇形納骨壇１の管理・保守が容易になる、仏壇形納骨壇１内に収容する生前情報再生表示手段１３を小型化することができる、参拝に関するデータの管理が可能となる等の利点を有する。
【００４６】
さらに、各仏壇形納骨壇１に記録媒体３０および再生手段３１を設けたまま、複数の仏壇形納骨壇１で共有する大容量の記録媒体および再生手段を仏壇形納骨壇１外に新たに設け、新たに設けた再生手段と各仏壇形納骨壇１の生前情報再生表示手段１３との間で有線または無線による通信を行い得るように生前情報再生表示手段１３を構成することもできる。このような構成の仏壇形納骨壇１では、上記したクライアント側（各仏壇形納骨壇側）に記録媒体３０を有さないネットワーク方式の仏壇形納骨壇１よりさらに一歩進んで、サーバ側からのクライアント側の記録情報の更新・変更、また逆に、クライアント側からのサーバ側の記録情報の更新・変更等も可能になる。
【００４７】
図１３は、生前情報の再生動作を説明するためのフローチャートである。ステップｓ１で動作を開始し、ステップｓ２では、入力指示手段３４の入力部６０から識別番号が入力される。処理回路６３は入力された数字をＲＡＭ６１に識別番号として記憶する。キャンセルキー６６が押された場合には、処理回路６３はＲＡＭ６１の内容をクリアする。エンタキー６７が押された場合には、ステップｓ３に進み、処理回路６３は不揮発性メモリ６２に予め記憶されている識別番号を読み出す。
【００４８】
ステップｓ４に進み、処理回路６３は、入力された識別番号と予め記憶されている識別番号とを照合し、両識別番号が一致するかどうかを判断し、一致している場合にはステップｓ５に進む。ステップｓ５では、入力部６０からトラック番号が入力され、ステップｓ６において、処理回路６３は、トラック番号に対応するトラックがどれであるのかを不揮発性メモリ６２から読み出し、対応するトラックを再生するように指示する信号を再生手段３１に出力する。該トラックを再生する出力を受けた再生手段３１は、該トラックを再生して、映像信号は映像信号線５０を介して、液晶ディスプレイ３５に映像として表示し、音声信号は音声信号線５３を介してスピーカ５１から音声として再生する。処理回路６３は、再生手段３１に指示した後、ステップｓ７に進み、ＲＡＭ６１の内容をクリアし、ステップｓ８に進んで動作を停止する。
【００４９】
ステップｓ４で、両識別番号が一致しなかった場合には、ステップｓ７に進み、ＲＡＭ６１の内容をクリアして、ステップｓ８に進んで、動作を停止する。
【００５０】
【発明の効果】
本発明の仏壇形納骨壇によれば、仏壇部に設けられた生前情報再生表示手段によって、故人の生前に記録媒体に予め記録された生前情報を再生手段で再生して、映像表示手段および音響手段によって生前の動きのある映像とともに音声を視聴することができ、リアリティを伴って、故人を偲ぶことができる。また、本発明の仏壇形納骨壇は、全体の構成がコンパクトであり、さらに生前情報の追加・変更が容易であるので、最近用いられつつある都市型墓地での利用に大変適している。
【図面の簡単な説明】
【図１】  図１は、本発明の実施の一形態の仏壇形納骨壇を図示する正面図である。
【図２】  図２は、図１のＡ−Ａ’線断面図である。
【図３】  図３は、本発明の仏壇形納骨壇の構成を図示する模式図である。
【図４】  扉１６ａ、１６ｂが閉じた状態を図示する断面図である。
【図５】  扉１６ａ、１６ｂが開いた状態を図示する断面図である。
【図６】  映像表示手段３２の構成を簡略化して図示する正面図である。
【図７】  音響手段３３の構成を簡略化して図示する正面図である。
【図８】  図７のＶＩＩＩ−ＶＩＩＩ’線断面図である。
【図９】  本発明の仏壇形納骨壇１が隣接して配置された状態を図示する正面図である。
【図１０】  生前情報再生表示手段１３の構成を簡略化して図示する斜視図である。
【図１１】  生前情報再生表示手段１３の電気的構成を簡略化して図示するブロック図である。
【図１２】  入力部６０の一態様を図示する模式図である。
【図１３】  生前情報の再生動作を説明するためのフローチャートである。
【符号の説明】
１    仏壇形納骨壇
２    納骨部
３    仏壇部
１０  仏壇本体
１１  引出し部
１３  生前情報再生表示手段
１６ａ、１６ｂ  扉
３０  記録媒体
３１  再生手段
３２  映像表示手段
３３  音響手段
３４  入力指示手段
３５  液晶ディスプレイ
【図１】
0003723945.tif 000002
【図２】
0003723945.tif 000003
【図３】
0003723945.tif 000004
【図４】
0003723945.tif 000005
【図５】
0003723945.tif 000006
【図６】
0003723945.tif 000007
【図７】
0003723945.tif 000008
【図８】
0003723945.tif 000009
【図９】
0003723945.tif 000010
【図１０】
0003723945.tif 000011
【図１１】
0003723945.tif 000012
【図１２】
0003723945.tif 000013
【図１３】
0003723945.tif 000014